【手続補正書】
【提出日】平成19年8月23日(2007.8.23)
【手続補正１】
【補正対象書類名】明細書
【補正対象項目名】特許請求の範囲
【補正方法】変更
【補正の内容】
【特許請求の範囲】
【請求項１】  データが手動により光学的に読み取ることが可能なコードとして記録された記録媒体から、前記コードを光学的に読み取って前記データを復元するようにしたコード読取装置において、
前記復元されたデータに、前記コード読取装置から他の電子機器に送信されて当該他の電子機器において利用される送信用データと、前記送信用データを前記コード読取装置から前記他の電子機器に送信するために必要な送信制御用データとが含まれているとき、前記送信制御用データに従って前記送信用データを前記他の電子機器に送信するデータ送信手段を具備することを特徴とするコード読取装置。
【請求項２】  前記データ送信手段は、前記他の電子機器に前記送信用データを送信するにあたって、当該他の電子機器が当該送信用データを受信可能な電子機器であるか否かを前記送信制御用データに基づいて判断する判断手段を含むことを特徴とする請求項１に記載のコード読取装置。
【請求項３】  前記データ送信手段は、更に、前記他の電子機器に前記送信用データを送信するにあたって、当該他の電子機器が当該送信用データを利用可能な電子機器であるか否かを前記送信制御用データに基づいて確認する確認手段を含むことを特徴とする請求項２に記載のコード読取装置。
【請求項４】  前記送信制御用データに、異なる複数の前記他の電子機器に対してそれぞれ前記送信用データを送信するために必要な異なる複数の送信制御用データが含まれているとき、
前記データ送信手段は、前記他の電子機器に前記送信用データを送信するにあたって、前記異なる複数の送信制御用データの中から一つの送信制御用データを順次用いて、前記他の電子機器が前記送信用データを受信可能な電子機器であるか否かを判断する判断手段を含むことを特徴とする請求項１に記載のコード読取装置。
【請求項５】  前記データ送信手段は、更に、前記他の電子機器に前記送信用データを送信するにあたって、前記異なる複数の送信制御用データの中から一つの送信制御用データを順次用いて、前記他の電子機器が前記送信用データを利用可能な電子機器であるか否かを確認する確認手段を含むことを特徴とする請求項４に記載のコード読取装置。
【請求項６】  前記データ送信手段は、更に、前記他の電子機器に前記送信用データを送信するにあたって、前記他の電子機器が利用可能なように送信用データのフォーマットを変換するデータフォーマット変換手段を含むことを特徴とする請求項１、２、又は４に記載のコード読取装置。
【請求項７】  前記データ送信手段は、前記送信用データに、異なる複数の送信用データが含まれているとき、前記他の電子機器に前記送信用データを送信するにあたって、前記他の電子機器が前記異なる複数の送信用データそれぞれを利用可能な電子機器であるか否かを確認する確認手段を含むことを特徴とする請求項１、２、又は４に記載のコード読取装置。
【請求項８】  前記データ送信手段は、
不特定多数の電子機器に前記送信用データの種別通知を一斉に行う通知手段を含み、
前記種別通知を受信した前記不特定多数の電子機器のうち、前記送信用データを必要とする電子機器からのデータ送信要求に応じて、前記送信用データを前記送信制御用データに従って電子機器へ送信する、
ことを特徴とする請求項１に記載のコード読取装置。
【請求項９】  データが手動により光学的に読み取ることが可能なコードとして記録された記録媒体において、
前記データは、前記コードを読み取るためのコード読取装置から他の電子機器に送信されて当該他の電子機器において利用される送信用データと、前記送信用データを前記コード読取装置から前記他の電子機器に送信するために必要な送信制御用データと、を含むことを特徴とする記録媒体。
【請求項１０】  前記送信制御用データは、前記コード読取装置が前記他の電子機器に前記送信用データを送信するにあたって、当該他の電子機器が当該送信用データを受信可能な電子機器であるか否かを判断するために必要な判断用のデータを含むことを特徴とする請求項９に記載の記録媒体。
【請求項１１】  前記送信制御用データは、更に、前記コード読取装置が前記他の電子機器に前記送信用データを送信するにあたって、当該他の電子機器が当該送信用データを利用可能な電子機器であるか否かを確認するために必要な確認用のデータを含むことを特徴とする請求項１０に記載の記録媒体。
【請求項１２】  前記送信制御用データは、
前記コード読取装置が異なる複数の前記他の電子機器に対してそれぞれ前記送信用データを送信するために必要な異なる複数の送信制御用データを含むことを特徴とする請求項９に記載の記録媒体。
【請求項１３】  前記異なる複数の各送信制御用データは、
前記コード読取装置が前記他の電子機器に前記送信用データを送信するにあたって、当該他の電子機器が当該送信用データを受信可能な電子機器であるか否かを判断するために必要な判断用のデータと、
当該他の電子機器が当該送信用データを利用可能な電子機器であるか否かを確認するために必要な確認用のデータと、
を含むことを特徴とする請求項１２に記載の記録媒体。
【請求項１４】  前記送信用データは、前記他の電子機器において利用される異なる複数の送信用データを含むことを特徴とする請求項９に記載の記録媒体。
【請求項１５】  前記送信制御用データは、前記他の電子機器で前記送信用データを利用可能なフォーマットに変換するために必要なデータフォーマット変換用のデータを含むことを特徴とする請求項９に記載の記録媒体。
【請求項１６】  データが手動により光学的に読み取ることが可能なコードとして記録された記録媒体から、前記コードを光学的に読み取って前記データを復元するようにしたコード読取装置から送信される前記データを受信して当該データを利用可能なように構成された電子機器であって、
前記コード読取装置で復元されたデータに、前記コード読取装置から前記電子機器に送信されて当該電子機器において利用される送信用データと、前記送信用データを前記コード読取装置から前記電子機器に送信するために必要な送信制御用データとが含まれているときに、前記コード読取装置が前記送信制御用データに従って送信する前記送信用データを受信するデータ受信手段を具備することを特徴とする電子機器。
【請求項１７】  前記データ受信手段は、前記コード読取装置から送信される前記送信用データが受信可能なデータであるか否かを前記送信制御用データに基づいて判断する判断手段を含むことを特徴とする請求項１６に記載の電子機器。
【請求項１８】  前記データ受信手段は、更に、前記コード読取装置から送信される前記送信用データが利用可能なデータであるか否かを前記送信制御用データに基づいて確認する確認手段を含むことを特徴とする請求項１７に記載の電子機器。
【請求項１９】  データが手動により光学的に読み取ることが可能なコードとして記録された記録媒体から、前記コードを光学的に読み取って前記データを復元するようにしたコード読取装置と、
前記コード読取装置から送信される前記データを受信して当該データを利用可能なように構成された電子機器と、
を含むデータ送受信システムであって、
前記コード読取装置は、前記復元されたデータに、前記コード読取装置から前記電子機器に送信されて当該電子機器において利用される送信用データと、前記送信用データを前記コード読取装置から前記電子機器に送信するために必要な送信制御用データとが含まれているとき、前記送信制御用データに従って前記送信用データを前記電子機器に送信するデータ送信手段を具備し、
前記電子機器は、前記コード読取装置が前記送信制御用データに従って送信する前記送信用データを受信するデータ受信手段を具備する、
ことを特徴とするデータ送受信システム。
【請求項２０】  データが手動により光学的に読み取ることが可能なコードとして記録された記録媒体から、前記コードを光学的に読み取って前記データを復元するようにしたコード読取装置と、前記コード読取装置から送信される前記データを受信して当該データを利用可能なように構成された電子機器と、の間で行われるデータ送受信方法であって、
前記コード読取装置は、前記コード読取装置が読み取った前記データに、前記コード読取装置から前記電子機器に送信されて当該電子機器において利用される送信用データと、前記送信用データを前記コード読取装置から前記電子機器に送信するために必要な送信制御用データとが含まれているとき、前記送信制御用データに従って前記送信用データを前記電子機器に送信し、
前記電子機器は、前記送信制御用データに従って送信される前記送信用データを受信する、
ことを特徴とするデータ送受信方法。
【手続補正２】
【補正対象書類名】明細書
【補正対象項目名】００１０
【補正方法】変更
【補正の内容】
【００１０】
【課題を解決するための手段】
上記の目的を達成するために、本発明によるコード読取装置は、データが手動により光学的に読み取ることが可能なコードとして記録された記録媒体から、前記コードを光学的に読み取って前記データを復元するようにしたコード読取装置において、
前記復元されたデータに、前記コード読取装置から他の電子機器に送信されて当該他の電子機器において利用される送信用データと、前記送信用データを前記コード読取装置から前記他の電子機器に送信するために必要な送信制御用データとが含まれているとき、前記送信制御用データに従って前記送信用データを前記他の電子機器に送信するデータ送信手段を具備することを特徴とする。
【手続補正３】
【補正対象書類名】明細書
【補正対象項目名】００１２
【補正方法】変更
【補正の内容】
【００１２】
また、上記の目的を達成するために、本発明による記録媒体は、データが手動により光学的に読み取ることが可能なコードとして記録された記録媒体において、
前記データは、前記コードを読み取るためのコード読取装置から他の電子機器に送信されて当該他の電子機器において利用される送信用データと、前記送信用データを前記コード読取装置から前記他の電子機器に送信するために必要な送信制御用データと、を含むことを特徴とする。
【手続補正４】
【補正対象書類名】明細書
【補正対象項目名】００１４
【補正方法】変更
【補正の内容】
【００１４】
また、上記の目的を達成するために、本発明による電子機器は、データが手動により光学的に読み取ることが可能なコードとして記録された記録媒体から、前記コードを光学的に読み取って前記データを復元するようにしたコード読取装置から送信される前記データを受信して当該データを利用可能なように構成された電子機器であって、
前記コード読取装置で復元されたデータに、前記コード読取装置から前記電子機器に送信されて当該電子機器において利用される送信用データと、前記送信用データを前記コード読取装置から前記電子機器に送信するために必要な送信制御用データとが含まれているときに、前記コード読取装置が前記送信制御用データに従って送信する前記送信用データを受信するデータ受信手段を具備することを特徴とする。
【手続補正５】
【補正対象書類名】明細書
【補正対象項目名】００１６
【補正方法】変更
【補正の内容】
【００１６】
また、上記の目的を達成するために、本発明によるデータ送受信システムは、データが手動により光学的に読み取ることが可能なコードとして記録された記録媒体から、前記コードを光学的に読み取って前記データを復元するようにしたコード読取装置と、前記コード読取装置から送信される前記データを受信して当該データを利用可能なように構成された電子機器と、を含むデータ送受信システムであって、
前記コード読取装置は、前記復元されたデータに、前記コード読取装置から前記電子機器に送信されて当該電子機器において利用される送信用データと、前記送信用データを前記コード読取装置から前記電子機器に送信するために必要な送信制御用データとが含まれているとき、前記送信制御用データに従って前記送信用データを前記電子機器に送信するデータ送信手段を具備し、
前記電子機器は、前記コード読取装置が前記送信制御用データに従って送信する前記送信用データを受信するデータ受信手段を具備する、ことを特徴とする。
【手続補正６】
【補正対象書類名】明細書
【補正対象項目名】００１８
【補正方法】変更
【補正の内容】
【００１８】
また、上記の目的を達成するために、本発明によるデータ送受信方法は、データが手動により光学的に読み取ることが可能なコードとして記録された記録媒体から、前記コードを光学的に読み取って前記データを復元するようにしたコード読取装置と、前記コード読取装置から送信される前記データを受信して当該データを利用可能なように構成された電子機器と、の間で行われるデータ送受信方法であって、
前記コード読取装置は、前記コード読取装置が読み取った前記データに、前記コード読取装置から前記電子機器に送信されて当該電子機器において利用される送信用データと、前記送信用データを前記コード読取装置から前記電子機器に送信するために必要な送信制御用データとが含まれているとき、前記送信制御用データに従って前記送信用データを前記電子機器に送信し、
前記電子機器は、前記送信制御用データに従って送信される前記送信用データを受信する、ことを特徴とする。